【手続補正書】
【提出日】令和3年1月26日(2021.1.26)
【手続補正１】
【補正対象書類名】明細書
【補正対象項目名】０００６
【補正方法】変更
【補正の内容】
【０００６】
本発明に係るサーバ装置は、所定の動作を行うユーザの動画像と、前記動作を行うユーザに取り付けられた所定のセンサーからの出力データと、に基づいて前記ユーザが行う前記動作を解析することで第１の解析結果を得る第１解析手段と、前記動画像と前記出力データとのうち前記出力データを入力値とした場合に前記第１の解析結果に最も近い解析結果が得られる解析ソフトウェアを予め登録されている複数の解析ソフトウェアのなかから選択する選択手段と、を備えることを特徴とする。
また、本発明に係る端末装置は、所定の動作を行うユーザの動画像と、前記動作を行うユーザに取り付けられた所定のセンサーからの出力データと、を所定のサーバ装置に送信する送信手段と、前記動画像と前記出力データとに基づいて前記サーバ装置により予め登録されている複数の解析ソフトウェアのなかから選択された解析ソフトウェアを、前記サーバ装置から受信する受信手段と、前記動画像と前記出力データとのうち前記出力データを前記受信した解析ソフトウェアに入力することにより前記ユーザが行う動作を解析する第２解析手段と、を備え、前記受信手段が受信した解析ソフトウェアは、前記複数の解析ソフトウェアのなかで、前記動画像と前記出力データとのうち前記出力データを入力値とした場合に所定の第１の解析結果に最も近い解析結果が得られる解析ソフトウェアであり、前記第１の解析結果は、前記動画像と前記出力データとに基づいて前記ユーザが行う動作を所定の解析手段で解析することにより得られる解析結果である、ことを特徴とする。
また、本発明に係るデータ処理システムは、端末装置とサーバ装置とがネットワークを介して接続されたデータ処理システムであって、前記端末装置は、所定の動作を行うユーザの動画像と、前記動作を行うユーザに取り付けられた所定のセンサーからの出力データと、前記サーバ装置に送信する送信手段と、前記動画像と前記出力データとに基づいて前記サーバ装置により予め登録されている複数の解析ソフトウェアのなかから選択された解析ソフトウェアを、前記サーバ装置から受信する受信手段と、前記動画像と前記出力データとのうち前記出力データを前記受信した解析ソフトウェアに入力することにより前記ユーザが行う動作を解析する第２解析手段と、を備え、前記サーバ装置は、前記動画像と前記出力データとに基づいて前記ユーザが行う動作を解析することで第１の解析結果を得る第１解析手段と、前記動画像と前記出力データとのうち前記出力データを入力値とした場合に前記第１の解析結果に最も近い解析結果が得られる解析ソフトウェアを前記複数の解析ソフトウェアのなかから選択する選択手段と、を備えることを特徴とする。
また、本発明に係るデータ処理方法は、端末装置とサーバ装置とがネットワークを介して接続されたデータ処理システムが実行するデータ処理方法であって、所定の動作を行うユーザの動画像と、前記動作を行うユーザに取り付けられた所定のセンサーからの出力データと、を前記端末装置から前記サーバ装置に送信する第１送信ステップと、前記サーバ装置で、前記動画像と前記出力データとに基づいて前記ユーザが行う動作を解析することで第１の解析結果を得る第１解析ステップと、前記動画像と前記出力データとのうち前記出力データを入力値とした場合に前記第１の解析結果に最も近い解析結果が得られる解析ソフトウェアを予め登録されている複数の解析ソフトウェアのなかから選択する選択ステップと、前記選択ステップで選択された解析ソフトウェアを前記サーバ装置から前記端末装置に送信する第２送信ステップと、を有することを特徴とする。
また、本発明に係る第１の態様のプログラムは、サーバ装置のコンピュータを、所定の動作を行うユーザの動画像と、前記動作を行うユーザに取り付けられた所定のセンサーからの出力データと、に基づいて前記ユーザが行う前記動作を解析することで第１の解析結果を得る第１解析手段、前記動画像と前記出力データとのうち前記出力データを入力値とした場合に前記第１の解析結果に最も近い解析結果が得られる解析ソフトウェアを予め登録されている複数の解析ソフトウェアのなかから選択する選択手段、として機能させることを特徴とする。
また、本発明に係る第２の態様のプログラムは、端末装置のコンピュータを、所定の動作を行うユーザの動画像と、前記動作を行うユーザに取り付けられた所定のセンサーからの出力データと、を所定のサーバ装置に送信する送信手段、前記動画像と前記出力データとに基づいて前記サーバ装置により予め登録されている複数の解析ソフトウェアのなかから選択された解析ソフトウェアを、前記サーバ装置から受信する受信手段、前記動画像と前記出力データとのうち前記出力データを前記受信した解析ソフトウェアに入力することにより前記ユーザが行う動作を解析する第２解析手段、として機能させ、前記受信手段が受信した解析ソフトウェアは、前記複数の解析ソフトウェアのなかで、前記動画像と前記出力データとのうち前記出力データを入力値とした場合に所定の第１の解析結果に最も近い解析結果が得られる解析ソフトウェアであり、前記第１の解析結果は、前記動画像と前記出力データとに基づいて前記ユーザが行う動作を所定の解析手段で解析することにより得られる解析結果である、ことを特徴とする。
【手続補正２】
【補正対象書類名】特許請求の範囲
【補正対象項目名】全文
【補正方法】変更
【補正の内容】
【特許請求の範囲】
【請求項１】
所定の動作を行うユーザの動画像と、前記動作を行うユーザに取り付けられた所定のセンサーからの出力データと、に基づいて前記ユーザが行う前記動作を解析することで第１の解析結果を得る第１解析手段と、
前記動画像と前記出力データとのうち前記出力データを入力値とした場合に前記第１の解析結果に最も近い解析結果が得られる解析ソフトウェアを予め登録されている複数の解析ソフトウェアのなかから選択する選択手段と、
を備えることを特徴とするサーバ装置。
【請求項２】
前記選択手段により選択された解析ソフトウェアを、前記ユーザが行う動作を前記ユーザに対応した端末装置で解析するための解析ソフトウェアとして、前記ユーザに対応した端末装置に送信する送信手段を備える、
ことを特徴とする請求項１に記載のサーバ装置。
【請求項３】
所定の動作を行うユーザの動画像と、前記動作を行うユーザに取り付けられた所定のセンサーからの出力データと、を所定のサーバ装置に送信する送信手段と、
前記動画像と前記出力データとに基づいて前記サーバ装置により予め登録されている複数の解析ソフトウェアのなかから選択された解析ソフトウェアを、前記サーバ装置から受信する受信手段と、
前記動画像と前記出力データとのうち前記出力データを前記受信した解析ソフトウェアに入力することにより前記ユーザが行う動作を解析する第２解析手段と、
を備え、
前記受信手段が受信した解析ソフトウェアは、前記複数の解析ソフトウェアのなかで、前記動画像と前記出力データとのうち前記出力データを入力値とした場合に所定の第１の解析結果に最も近い解析結果が得られる解析ソフトウェアであり、
前記第１の解析結果は、前記動画像と前記出力データとに基づいて前記ユーザが行う動作を所定の解析手段で解析することにより得られる解析結果である、
ことを特徴とする端末装置。
【請求項４】
端末装置とサーバ装置とがネットワークを介して接続されたデータ処理システムであって、
前記端末装置は、
所定の動作を行うユーザの動画像と、前記動作を行うユーザに取り付けられた所定のセンサーからの出力データと、前記サーバ装置に送信する送信手段と、
前記動画像と前記出力データとに基づいて前記サーバ装置により予め登録されている複数の解析ソフトウェアのなかから選択された解析ソフトウェアを、前記サーバ装置から受信する受信手段と、
前記動画像と前記出力データとのうち前記出力データを前記受信した解析ソフトウェアに入力することにより前記ユーザが行う動作を解析する第２解析手段と、
を備え、
前記サーバ装置は、
前記動画像と前記出力データとに基づいて前記ユーザが行う動作を解析することで第１の解析結果を得る第１解析手段と、
前記動画像と前記出力データとのうち前記出力データを入力値とした場合に前記第１の解析結果に最も近い解析結果が得られる解析ソフトウェアを前記複数の解析ソフトウェアのなかから選択する選択手段と、
を備えることを特徴とするデータ処理システム。
【請求項５】
端末装置とサーバ装置とがネットワークを介して接続されたデータ処理システムが実行するデータ処理方法であって、
所定の動作を行うユーザの動画像と、前記動作を行うユーザに取り付けられた所定のセンサーからの出力データと、を前記端末装置から前記サーバ装置に送信する第１送信ステップと、
前記サーバ装置で、前記動画像と前記出力データとに基づいて前記ユーザが行う動作を解析することで第１の解析結果を得る第１解析ステップと、
前記動画像と前記出力データとのうち前記出力データを入力値とした場合に前記第１の解析結果に最も近い解析結果が得られる解析ソフトウェアを予め登録されている複数の解析ソフトウェアのなかから選択する選択ステップと、
前記選択ステップで選択された解析ソフトウェアを前記サーバ装置から前記端末装置に送信する第２送信ステップと、
を有することを特徴とするデータ処理方法。
【請求項６】
サーバ装置のコンピュータを、
所定の動作を行うユーザの動画像と、前記動作を行うユーザに取り付けられた所定のセンサーからの出力データと、に基づいて前記ユーザが行う前記動作を解析することで第１の解析結果を得る第１解析手段、
前記動画像と前記出力データとのうち前記出力データを入力値とした場合に前記第１の解析結果に最も近い解析結果が得られる解析ソフトウェアを予め登録されている複数の解析ソフトウェアのなかから選択する選択手段、
として機能させることを特徴とするプログラム。
【請求項７】
端末装置のコンピュータを、
所定の動作を行うユーザの動画像と、前記動作を行うユーザに取り付けられた所定のセンサーからの出力データと、を所定のサーバ装置に送信する送信手段、
前記動画像と前記出力データとに基づいて前記サーバ装置により予め登録されている複数の解析ソフトウェアのなかから選択された解析ソフトウェアを、前記サーバ装置から受信する受信手段、
前記動画像と前記出力データとのうち前記出力データを前記受信した解析ソフトウェアに入力することにより前記ユーザが行う動作を解析する第２解析手段、
として機能させ、
前記受信手段が受信した解析ソフトウェアは、前記複数の解析ソフトウェアのなかで、前記動画像と前記出力データとのうち前記出力データを入力値とした場合に所定の第１の解析結果に最も近い解析結果が得られる解析ソフトウェアであり、
前記第１の解析結果は、前記動画像と前記出力データとに基づいて前記ユーザが行う動作を所定の解析手段で解析することにより得られる解析結果である、
ことを特徴とするプログラム。